(57)【要約】【課題】構成を複雑化することなく、片手を離す操作の必要性を減らして、タッチパネル式携帯端末を両手で持ったまま安定した状態で安全に操作可能とする。【解決手段】タッチパネル１０を用いて表示及び入力操作を行うようにされたタッチパネル式携帯端末（タブレットＰＣ１）において、操作者の指をタッチパネル１０に押し付けたまま、画面端近傍で所定の方向になぞるドラッグ操作を検出するドラッグ操作検知部４０と、前記ドラッグ操作が検出された時に、タッチパネル１０の画面端に、ユーザー選択肢の一覧領域５０を表示すると共に、該一覧領域５０で選択されたユーザー選択肢の情報を通知するための表示制御部４４と、を備える。【選択図】図７
2015138309.tif 000002
【特許請求の範囲】
【請求項１】
タッチパネルを用いて表示及び入力操作を行うようにされたタッチパネル式携帯端末において、
操作者の指をタッチパネルに押し付けたまま、画面端近傍で所定の方向になぞるドラッグ操作を検出するドラッグ操作検知部と、
前記ドラッグ操作が検出された時に、タッチパネルの画面端に、ユーザー選択肢の一覧領域を表示すると共に、該一覧領域で選択されたユーザー選択肢の情報を通知するための表示制御部と、
を備えたことを特徴とするタッチパネル式携帯端末。
【請求項２】
前記ユーザー選択肢が、前記一覧領域にインデックスラベルで表示されることを特徴とする請求項１に記載のタッチパネル式携帯端末。
【請求項３】
前記一覧領域が、指でなぞった方向と反対側の画面端に表示されることを特徴とする請求項１又は２に記載のタッチパネル式携帯端末。
【請求項４】
表示対象のユーザー選択肢の数が、前記一覧領域の表示限界数より多い時は、指によりスクロール操作可能とされていることを特徴とする請求項１乃至３のいずれかに記載のタッチパネル式携帯端末。
【請求項５】
前記一覧領域が表示されている状態で、一覧領域以外の場所を指でタップ操作することにより、又は一定時間以上操作しないことにより、一覧領域が表示されない元の表示状態に戻ることを特徴とする請求項１乃至４のいずれかに記載のタッチパネル式携帯端末。
【請求項６】
測定装置と通信自在に接続されることを特徴とする請求項１乃至５のいずれかに記載のタッチパネル式携帯端末。
【請求項７】
タッチパネルを用いて表示及び入力操作を行うようにされたタッチパネル式携帯端末の制御方法において、
操作者の指をタッチパネルに押し付けたまま、画面端近傍で所定の方向になぞるドラッグ操作を検出し、
前記ドラッグ操作が検出された時に、タッチパネルの画面端に、ユーザー選択肢の一覧領域を表示し、
該一覧領域で選択されたユーザー選択肢の情報を通知することを特徴とするタッチパネル式携帯端末の制御方法。
【請求項８】
タッチパネルを用いて表示及び入力操作を行うようにされたタッチパネル式携帯端末を制御するためのコンピュータプログラムにおいて、コンピュータに、
操作者の指をタッチパネルに押し付けたまま、画面端近傍で所定の方向になぞるドラッグ操作を検出する処理と、
前記ドラッグ操作が検出された時に、タッチパネルの画面端に、ユーザー選択肢の一覧領域を表示する処理と、
該一覧領域で選択されたユーザー選択肢の情報を通知する処理を実行させることを特徴とするコンピュータプログラム。
【発明の詳細な説明】
【技術分野】
【０００１】
本発明は、タッチパネル式携帯端末、その制御方法及びコンピュータプログラムに係り、特に、スマートフォンより大画面のタブレット型パーソナルコンピュータ（以下、タブレットＰＣと称する）で片手を離す操作の必要性を減らして、両手で持ったまま安定した状態で安全に操作することが可能な、タッチパネル式携帯端末、その制御方法及びコンピュータプログラムに関する。
【背景技術】
【０００２】
スマートフォンより大画面のタブレットＰＣを測定機の制御用コンピュータとして利用する上で、操作ミスや落下の危険性を高める「片手で保持しながらの操作」が障壁となっている。タブレットＰＣの代表的な操作に、マウスのクリック操作に相当するタップというタッチパネル操作がある。
【０００３】
図１のように大型ディスプレイ（図ではタッチパネル１０）のタブレットＰＣ１の場合、両手２、６で保持するのが最も安定した持ち方であるが、フォルダやファイルの選択操作は、図２のように、フォルダやファイルが一覧表示されたウィンドウ内のアイコン１６のいずれか一つを、図３のように、例えば右手２の人差指３でタップしなければならず、タブレットＰＣ１から片方の手（図３の例では右手２）を離さなければ操作が難しい。
【０００４】
大型ディスプレイ（タッチパネル）のタブレットＰＣでは、片手で長時間保持するのは難しく、タップ操作をする場合もタッチパネルの固定が不安定なので操作ミスを起こしやすい。また片手で保持している状態では、常にタブレットＰＣを落とす危険性も高くなってしまう。
【０００５】
フォルダやファイルの操作は、測定データの選択や印刷結果の閲覧の際に頻繁に行われる操作のため、これらの操作をタブレットＰＣから手を離さずにできれば、安定性が増し操作ミスを低減するだけでなく、タブレットＰＣを落とすなどの危険性も少なくすることができる。
【０００６】
なお、本発明のように両手で持ったままの操作を可能とするものではないが、画面サイズの小さい携帯端末を片方の手で持ちながら、もう片方の手でタッチ入力する際の操作性を高める技術として、特許文献１には、携帯端末を片手で保持した時の（親）指がタッチパネルに接触している位置を検出し、その接触位置に近い位置にユーザーインターフェースの位置を変更して表示することが記載されている。
【０００７】
又、特許文献１と同様に、片方の手で持ちながら行う操作をしやすくするための技術が特許文献２、３にも記載されている。
【０００８】
一方、特許文献４には、両手で持った状態での入力操作を容易化するため、左右の撮像素子から得られる画像の視差によるずれから３次元位置を出力する３次元距離センサーを携帯端末に搭載し、該３次元距離センサーから得られた顔や手の３次元位置情報を利用して携帯端末上の操作しやすい位置に操作対象を移動して表示することが記載されている。
【先行技術文献】
【特許文献】
【０００９】
【特許文献１】特開２０１３−１２５４７１号公報
【特許文献２】特開２００２−７３２４９号公報
【特許文献３】特開２０１０−７９４４２号公報
【特許文献４】特開２０１２−１５５４８０号公報
【発明の概要】
【発明が解決しようとする課題】
【００１０】
しかしながら、特許文献１に記載の技術でユーザーインターフェースが親指の近くに表示された時に操作しやすくなるのは、他の４本の指で携帯端末の背面を支え、親指を自由に動かせるような場合であり、画面サイズの小さい携帯端末を想定している。特許文献２、３も同様に、本発明のように両手で持ったままの操作を可能とするものではない。又、特許文献４は、３次元距離センサーを設ける必要があり、構成が複雑でコストも高くなるという問題点を有していた。
【００１１】
本発明は、前記従来の問題を解消するべくなされたもので、構成を複雑化することなく、片手を離す操作の必要性を減らして、タッチパネル式携帯端末を両手で持ったまま安定した状態で安全に操作可能とすることを課題とする。
【課題を解決するための手段】
【００１２】
本発明は、タッチパネルを用いて表示及び入力操作を行うようにされたタッチパネル式携帯端末において、操作者の指をタッチパネルに押し付けたまま、画面端近傍で所定の方向になぞるドラッグ操作を検出するドラッグ操作検知部と、前記ドラッグ操作が検出された時に、タッチパネルの画面端に、ユーザー選択肢の一覧領域を表示すると共に、該一覧領域で選択されたユーザー選択肢の情報を通知するための表示制御部と、を備えることにより、前記課題を解決したものである。
【００１３】
ここで、前記ユーザー選択肢を、前記一覧領域にインデックスラベルで表示することができる。
【００１４】
又、前記一覧領域を、指でなぞった方向と反対側の画面端に表示することができる。
【００１５】
又、表示対象のユーザー選択肢の数が、前記一覧領域の表示限界数より多い時は、指によりスクロール操作可能とすることができる。
【００１６】
又、前記一覧領域が表示されている状態で、一覧領域以外の場所を指でタップ操作することにより、又は一定時間以上操作しないことにより、一覧領域は表示されない元の表示状態に戻ることができる。
【００１７】
又、前記タッチパネル式携帯端末は、測定装置と通信自在に接続することができる。
【００１８】
本発明は、又、タッチパネルを用いて表示及び入力操作を行うようにされたタッチパネル式携帯端末の制御方法において、操作者の指をタッチパネルに押し付けたまま、画面端近傍で所定の方向になぞるドラッグ操作を検出し、前記ドラッグ操作が検出された時に、タッチパネルの画面端に、ユーザー選択肢の一覧領域を表示し、該一覧領域で選択されたユーザー選択肢の情報を通知することにより、同様に課題を解決したものである。
【００１９】
本発明は、又、タッチパネルを用いて表示及び入力操作を行うようにされたタッチパネル式携帯端末を制御するためのコンピュータプログラムにおいて、コンピュータに、
操作者の指をタッチパネルに押し付けたまま、画面端近傍で所定の方向になぞるドラッグ操作を検出する処理と、
前記ドラッグ操作が検出された時に、タッチパネルの画面端に、ユーザー選択肢の一覧領域を表示する処理と、
該一覧領域で選択されたユーザー選択肢の情報を通知する処理を実行させることにより、同様に課題を解決したものである。
【発明の効果】
【００２０】
本発明によれば、片手を離す操作の必要性を減らして、フォルダやファイル等のユーザー選択肢の選択操作を、タッチパネル式携帯端末を両手で持ったまま安定した状態で安全に行うことができるようになり、以下のような効果を期待できる。
【００２１】
（１）使い勝手の向上
本発明のタッチパネルユーザーインターフェースにより、フォルダやファイル等のユーザー選択肢の選択操作を手を離さずに行うことができるようになり、ユーザーはタブレットＰＣを両手で持ったまま連続して自然に実行することが可能となる。これらから安定性を向上し、タブレットＰＣの利便性を向上することができる。
【００２２】
（２）安全性の向上
タブレットＰＣを保持している両手を離す必要のある操作が少なくなることにより、タブレットＰＣを落とすなどの事故を減らすことが可能となる。
【図面の簡単な説明】
【００２３】
【図１】従来の問題点を説明するための、タブレットＰＣを両手で持った状態を示す正面図
【図２】同じくフォルダやファイルのアイコンがウィンドウ内に一覧表示された状態を示す正面図
【図３】同じくアイコンを人差指のタップ操作で選択している状態を示す正面図
【図４】本発明の実施形態の正面図
【図５】同じくハードウェア構成を示すブロック図
【図６】同じく機能構成を示すブロック図
【図７】本発明の第１実施例で、画面上方向へのドラッグ操作により一覧領域を画面下端に表示した状態を示す正面図
【図８】同じく画面下端の一覧領域をスクロールするためのスクロールバーを表示した状態を示す正面図
【図９】同じく画面下端の一覧領域をスクロールしている状態を示す正面図
【図１０】同じく処理手順の例を示す流れ図
【図１１】本発明の第２実施例で、画面下方向へのドラッグ操作により一覧領域を上側に表示した状態を示す正面図
【図１２】本発明の第３実施例で、画面左方向へのドラッグ操作により一覧領域を右側に表示した状態を示す正面図
【図１３】本発明の第４実施例で、画面右方向へのドラッグ操作により一覧領域を左側に表示した状態を示す正面図
【発明を実施するための形態】
【００２４】
以下、図面を参照して、本発明の実施の形態について詳細に説明する。尚、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２５】
本実施形態は、本発明を図４に例示される、外形が略長方形のタブレットＰＣ１に適用したものである。図４のように、タッチパネル１０を囲むいわゆる額縁部分は狭く、前面の大半がタッチパネル１０で占められている。
【００２６】
なお、図示は省略されているが、タブレットＰＣ１の外面には、電源スイッチ、ボリュウム操作部、カメラのレンズ窓、スピーカーによる音声出力のための通気部、コネクタ、ジャックなど、各種のインタフェースや機構要素が配置されている。
【００２７】
前記タブレットＰＣ１は、画像測定機等の測定装置１００に無線又は有線で接続され、測定に関する指示を入力したり、測定結果を表示する等に使用される。
【００２８】
図５のように、タブレットＰＣ１は、上述のタッチパネル１０に加えて、通信回路２２、ストレージ２４、制御回路３０、および図示しないその他の構成要素を有する。通信回路２２は、タブレットＰＣ１と外部装置との無線通信および有線通信に用いられる。ストレージ２４は、ＨＤＤ（Ｈard  Ｄisk  Ｄrive）またはＳＳＤ（Ｓolid  Ｓtate  Ｄrive）であり、各種データの保存および一時記憶に用いられる。制御回路３０は、制御プログラムや各種アプリケーションを実行するコンピュータとしてのＣＰＵ（Ｃentral  Ｐrocessing  Ｕnit）３２、プログラム実行のワークエリアとされるＲＡＭ（Ｒandom  Ａccess  Ｍemory）３４、および制御の設定値を記憶する不揮発性メモリ３６を有する。
【００２９】
このようなタブレットＰＣ１における表示及び選択動作制御に関わる機能構成を図６に示す。図６のように、タブレットＰＣ１のタッチパネル１０は、タッチ入力デバイス１２とディスプレイ１４とを有し、制御回路３０は、ドラッグ操作検知部４０とタップ操作検知部４２と表示制御部４４と動作制御部４６とを有している。これらの構成要素は、制御回路３０のＣＰＵ３２が制御プログラムを実行することによって実現される。
【００３０】
前記ドラッグ操作検知部４０は、操作者の例えば親指をタッチパネル１０に押し付けたまま、画面端近傍で所定の方向になぞるドラッグ操作を検知する。なお、ドラッグ操作は親指に限定されず、他の指でドラッグしても良い。
【００３１】
前記タップ操作検知部４２は、アイコン１６を含む選択肢の一つがタップ操作されたことを検知する。
【００３２】
前記表示制御部４４は、前記ドラッグ操作検知部４０によって検知されたドラッグ操作や前記タップ操作検知部４２によって検知されたタップ操作に応じて表示を制御する。
【００３３】
前記動作制御部４６は、前記タップ操作で選択されたアイコン１６を含む選択肢に従ってタブレットＰＣ１の動作を制御する。
【００３４】
以下、表示及び選択動作の具体例を挙げてタブレットＰＣ１における表示及び制御を説明する。
【００３５】
本発明の第１実施例は、図７（Ａ）に示す如く、タブレットＰＣ１を両手２、６で保持した状態で、右手２（又は左手６）の親指４（又は７）を画面の上に向けてなぞる（親指ドラッグと称する）ことにより、図７（Ｂ）に例示する如く、一覧領域５０が画面下端に表示されるようにしている。該一覧領域５０には、フォルダやファイルのインデックスラベル５２が表示される。
【００３６】
ここで、表示対象のフォルダ又はファイルの数が一覧領域５０の表示限界数より多い場合は、図８に例示するように、例えば一覧領域５０の下側にスクロールバー５４を表示してスクロールできるようにしてもよいし、あるいは、図９に例示するように、一覧領域５０を、例えば左手６の親指７でなぞる（ドラッグ）することでスクロールするようにしてもよい。
【００３７】
又、一覧領域５０が表示されている状態で、一覧領域５０以外の場所を親指４又は７でタップすることにより、又は一定時間以上操作しないことにより、一覧領域５０が表示されない元の表示状態に戻ることができる。
【００３８】
以下、図１０を参照して第１実施例の具体的な処理手順の例を説明する。
【００３９】
まず、ステップ１００で、図７（Ａ）に例示したような所定方向（ここでは画面上方向）へのドラッグ操作が行われたか否かを判定する。判定結果が正である場合には、ステップ１１０に進み、図７（Ｂ）に例示したように一覧領域５０を画面下端に表示する。
【００４０】
次いで、ステップ１２０に進み、一覧領域５０に表示されたインデックスラベル５２の一つがタップ操作されたか否かを判定する。判定結果が正である場合には、ステップ１３０に進み、タップした選択肢が（例えばフォルダなどのように）さらに複数の選択肢を内包している場合に備えて、更に一覧表示が必要か否かを判定する。判定結果が正である場合には、ステップ１１０に戻って、ステップ１１０〜１３０の処理を繰返す。
【００４１】
一方、ステップ１３０の判定結果が否である場合には、ステップ１４０に進み、タップされた選択肢の情報をＯＳやアプリケーションに通知する。即ち、ＯＳやアプリケーションが利用するユーザーインタフェースなので、最終的にユーザー（操作者）が選んだ選択肢（例えばファイル情報やメニュー情報など）の情報を返す。
【００４２】
一方、ステップ１２０の判定結果が否である場合には、ステップ１５０に進み、図９に例示したようなスクロール操作が行われた否かを判定する。判定結果が正である場合には、ステップ１６０に進み、一覧領域５０内の表示を左右方向にスクロールして、表示されていないインデックスラベル５２を表示可能とする。
【００４３】
一方、ステップ１５０の判定結果が否である場合には、ステップ１７０に進み、所定時間以上無操作状態が続いているか、又は、一覧領域５０以外の場所がタップされたか否かを判定する。判定結果が正である場合には、ステップ１８０に進み、一覧領域５０を隠して処理を終了する。
【００４４】
ステップ１７０の判定結果が否である場合、又は、ステップ１６０終了後、ステップ１２０に戻る。
【００４５】
画面下方向へのドラッグ操作を検知するようにした第２実施例を図１１に、画面左方向へのドラッグ操作を検知するようにした第３実施例を図１２に、画面右方向へのドラッグ操作を検知するようにした第４実施例を図１３に示す。動作は第１実施例と同様であるので、説明は省略する。
【００４６】
前記実施形態によれば、次のような効果を奏する。
【００４７】
（ｉ）インターネットブラウザ
インターネットブラウザのブックマークや履歴だけでなく、Ｗｅｂページ内のハイパーリンクは、現状どうしても片手を離してタップする必要がある。ドラッグ操作で表示された一覧領域５０にブックマークや履歴リストを表示すれば、操作者のブラウジングを楽にすることが可能となる。更に、ドラッグ操作で一覧領域５０が表示されると同時にＷｅｂページ内のハイパーリンクに丸数字１、丸数字２等の番号を表示し、一覧領域５０に各番号が表示されたアイコンを表示して選択できるようにすると、ハイパーリンクのタップも指で選択することが可能となる。スクロール操作で表示されていないアイコンを表示すると同時にＷｅｂページを自動スクロールして該当番号のハイパーリンクを表示することも可能である。
【００４８】
（ii）ドキュメントの閲覧
ドキュメントを入力する際は、ソフトウェアキーボードなどにより両手を離さずに入力できるような工夫がされている場合がある。しかし、複数のドキュメントを閲覧する際、別のファイルを選択するためにフォルダ操作をしたりファイル操作などをしたりするタップ操作が必要となってしまう。
例えば、ドラッグ操作で表示される右側の一覧領域５０にカレントフォルダにあるファイルの一覧を表示して選択できるようにし、左側の一覧領域５０にカレントフォルダを変更できるようなフォルダアイコンを表示すれば、両手を離さずにドキュメントを切り替えて閲覧ができるようになる。
【００４９】
（iii）デスクトップ操作
デスクトップはＯＳ毎に異なる表示状態となるが、どのＯＳのデスクトップでも指でスクロールしてタップする必要がある。
ドラッグ操作で表示される一覧領域５０にデスクトップ上のアイコンを表示するようにすれば、手を離さずに目的のアプリケーションを起動することができるようになる。
また、メール受信通知やアプリケーションからのメッセージ表示などは、通常、画面中央に表示されるが、ＯＳまたはアプリケーションが自動的に一覧領域５０を表示して、これらの情報を表示することによって、手を離さずにそのまま対応が可能となる。
【００５０】
（iv）その他のアプリケーション
アプリケーションのメニューを一覧領域５０に表示することにより、手を離さずに行える操作が格段に増える。更に、アプリケーションが一覧領域５０に独自の選択肢を表示することで、すべての操作が手を離さずに行えるようになる可能性がある。このようなアプリケーションが増えればタブレットＰＣの普及に大いに貢献することになる。
【００５１】
なお、前記実施形態においては、本発明が測定装置に接続された場合を例示したが、本発明に係るタッチパネル式携帯端末は、このような例示に限定されず、タッチパネル式ＰＣを含む携帯端末一般に同様に適用できる。
【００５２】
本発明は、産業界だけでなく、一般ユーザーで応用する場合も効果を発揮する。
【００５３】
（Ｉ）利用者の拡大
保持力の小さい子どもや老人が操作する場合は、片手保持により非常に不安定な状態となり、タブレットＰＣ等の落下の危険性が高くなるが、本発明によれば、安全性が向上し、握力の小さい子どもや老人に敬遠されがちだったタブレットＰＣ等を幅広い層のユーザーに使用可能な端末として提供することが可能となる。
【００５４】
（II）タブレットＰＣ等の利用シーンの拡大
片手保持の困難さから大画面の利点を活かせなかった次のような利用シーンにおいて、幅広い年齢層での利用拡大が期待できる。
・小学校等において児童がタブレットＰＣ等を手に持って発表
・老人会等において野山の散策時にタブレットＰＣ等でオリエンテーション
・スポーツ等においてタブレットＰＣ等で撮影した動画像でコーチング
・水族館や動物園等においてタブレットＰＣ等による事典参照や観察記録
・美術館等においてタブレットＰＣ等による展示物の作者や作品の調査
・タブレットＰＣ等で（ＧＰＳ等を活用した）地図情報と観光スポットの確認
・病室のベッドで横になりながらの操作（この場合は成人でも片手保持が難しいため、片手保持操作の頻度を減らすことが安全性の面で重要である。）
等
【符号の説明】
【００５５】
１…タブレットＰＣ
２、６…手
４、７…親指
１０…タッチパネル
１６…アイコン
２２…通信回路
２４…ストレージ
３０…制御回路
３２…ＣＰＵ
３４…ＲＡＭ
３６…不揮発性メモリ
４０…ドラッグ操作検知部
４２…タップ操作検知部
４４…表示制御部
４６…動作制御部
５０…一覧領域
５２…インデックスラベル
５４…スクロールバー
１００…測定装置
【図３】
2015138309.tif 000003
【図４】
2015138309.tif 000004
【図５】
2015138309.tif 000005
【図６】
2015138309.tif 000006
【図１０】
2015138309.tif 000007
【図１】
2015138309.tif 000008
【図２】
2015138309.tif 000009
【図７】
2015138309.tif 000010
【図８】
2015138309.tif 000011
【図９】
2015138309.tif 000012
【図１１】
2015138309.tif 000013
【図１２】
2015138309.tif 000014
【図１３】
2015138309.tif 000015